(57)【要約】【課題】ＵＳＢへの電源切り替えを安全に行う。【解決手段】  内蔵電池１７を電源として駆動しているＭＤプレーヤ１０のＵＳＢコネクタ１５にＵＳＢジャック４３を挿入すると、システムコントローラ１８は、内蔵電池１７からＵＳＢのＶＢｕｓ４２への電源の切り替えを開始する。システムコントローラ１８は、電源の切り替え処理において、ＭＤプレーヤ１０の処理を停止し、ＶＢｕｓから供給される電力でも駆動できる状態にした上で、ＵＳＢの論理的な接続を行い、論理的な接続が完了するとＭＤプレーヤ１０を駆動するのに十分な電力の供給をＰＣ２０に要求する。【選択図】図４
2005251339.tif 000002
【特許請求の範囲】
【請求項１】
ＵＳＢ（Universal Serial Bus）を介して外部機器と接続する電子機器であって、
上記ＵＳＢによる上記外部機器との物理的な接続を検出する接続検出手段と、
上記接続検出手段が物理的な接続を検出すると、当該電子機器の消費電力量を減少させる電力制御手段と、
上記接続検出手段が物理的な接続を検出すると上記外部機器との論理的な接続を行う接続制御手段と、
上記ＵＳＢのＶＢｕｓから供給される電力の増加を上記外部機器に対して要求する電力要求手段とを備えること
を特徴とする電子機器。
【請求項２】
上記電力制御手段は、上記外部機器が出力した上記電力要求手段の要求に対する許可信号を入力すると、当該電子機器の消費電力量を増加させることを特徴とする請求項１記載の電子機器。
【請求項３】
当該電子機器の電源である電池と、
上記ＶＢｕｓが供給されるときには、該ＶＢｕｓを当該電子機器の電源として優先的に選択する電源選択手段と
を備えることを特徴とする請求項１記載の電子機器。
【請求項４】
家庭用電源を入力する電源入力手段と、
上記家庭用電源が入力されるときには、該家庭用電源を当該電子機器の電源として優先的に選択する電源選択手段と
を備えることを特徴とする請求項３記載の電子機器。
【請求項５】
所定の記録媒体に情報を記録又は再生する記録再生装置であって、
ＵＳＢを介して外部機器と接続する接続手段と、
上記記録媒体に記録された情報を読み出す読出手段と、
上記ＵＳＢによる上記外部機器との物理的な接続を検出する接続検出手段と、
上記接続検出手段が物理的な接続を検出すると、当該記録再生装置の消費電力量を減少させる電力制御手段と、
上記接続検出手段が物理的な接続を検出すると上記外部機器との論理的な接続を行う接続制御手段と、
上記ＵＳＢのＶＢｕｓから供給される電力の増加を上記外部機器に対して要求する電力要求手段とを備えること
を特徴とする記録再生装置。
【請求項６】
上記電力制御手段は、上記読出手段を停止させることにより、当該記録再生装置の消費電力量を減少させ、上記外部機器が出力した上記電力要求手段の要求に対する許可信号を入力すると、上記読出手段の動作を開始させること
を特徴とする請求項５記載の記録再生装置。
【請求項７】
上記読出手段は、少なくとも２種類の記録媒体が装着可能とされ装着された記録媒体に記録された情報を読み出すことが可能であり、上記読出手段が読み出すことができる記録媒体のうち何れか１つの記録媒体に関する仮の属性情報を記憶する不揮発性の記憶手段を備え、
上記接続制御手段は、上記仮の属性情報を用いて仮の論理接続を行うこと
を特徴とする請求項５記載の記録再生装置。
【発明の詳細な説明】
【技術分野】
【０００１】
本発明は、ＵＳＢのバスパワーを電源とする電子機器及び記録再生装置に関する。
【背景技術】
【０００２】
パーソナルコンピュータと外部機器とを接続する汎用インターフェースとしてＵＳＢ（Universal Serial Bus）というインターフェースが存在する。ＵＳＢは、シリアルポートやパラレルポートなどの中低速インターフェースを置き換える目的で登場したＰＣ向けのシリアルインターフェースで、一台のＰＣ（ホスト）が中心となってさまざまな周辺機器（ノード）を接続する形をとる。ＵＳＢは、プラグアンドプレイに対応しており、接続する機器ごとの設定は必要なく、また、電源を入れたままで自由に周辺機器の付け外しを行うホットプラグ・アンプラグ機能をサポートしている。さらに、近年、ＵＳＢの規格としてＯｎ−Ｔｈｅ−Ｇｏと呼ばれる規格が登場し、ＰＣを介することなく周辺機器同士を接続することも可能になっている。
【０００３】
ＵＳＢは、上述した信号線としての機能のほかに、電源線としての機能も備える。近年では、この機能を利用してＵＳＢを電源とする装置やＵＳＢから供給される電力を充電する装置などが存在する。ＵＳＢを電源として、デバイスを駆動するとき、デバイスの種類によっては、十分な電力が確保できないときがある。これは、ＵＳＢ接続時における電流量１００ｍＡ、電圧５ＶとＵＳＢの規格に定められているためである。
【０００４】
ところで、近年の携帯電話やデジタルカメラなどの携帯型のデバイスは、パーソナルコンピュータとのデータのやり取りを行うためにＵＳＢが備えられている。携帯型のデバイスにおいてＵＳＢを電源とすると、内蔵電池の電力消費を抑えることができる。これを実現するために、ＵＳＢが接続されたときには、内蔵電池からＶＢｕｓへの電源の切り替えを行いたい。しかしながら、上述したように、ＵＳＢ接続時においてＵＳＢが供給可能な電力量は規格により定義されている。この規格に従うと、ＵＳＢがデバイスに十分な電力を供給できないことがあり、デバイスの電力不足が発生するおそれがある。
【発明の開示】
【発明が解決しようとする課題】
【０００５】
本発明は、ＵＳＢへの電源切り替えを安全に行う電子機器および記録再生装置を提供することを目的とする。
【課題を解決するための手段】
【０００６】
上述した課題を解決するために、本発明にかかる電子機器は、ＵＳＢを介して外部機器と接続する電子機器であって、ＵＳＢによる外部機器との物理的な接続を検出する接続検出手段と、接続検出手段が物理的な接続を検出すると、電子機器の消費電力量を減少させる電力制御手段と、接続検出手段が物理的な接続を検出すると外部機器との論理的な接続を行う接続制御手段と、ＵＳＢのＶＢｕｓから供給される電力の増加を外部機器に対して要求する電力要求手段とを備える。
【０００７】
また、本発明にかかる記録再生装置は、所定の記録媒体に情報を記録又は再生する記録再生装置であって、ＵＳＢを介して外部機器と接続する接続手段と、記録媒体に記録された情報を読み出す読出手段と、ＵＳＢによる外部機器との物理的な接続を接続検出手段と、接続検出手段が物理的な接続を検出すると、再生装置の消費電力量を減少させる電力制御手段と、外部機器との論理的な接続を行う接続制御手段と、ＵＳＢのＶＢｕｓから供給される電力の増加を外部機器に対して要求する電力要求手段とを備える。
【発明の効果】
【０００８】
本発明は、ある電源からＵＳＢのＶＢｕｓに電源を切り替える際に、電子機器の一部の機能を停止させ、消費電力量を減少させるため、ＶＢｕｓの少ない電流量でも安定して駆動することができる。
【０００９】
また、本発明では、少ない電流量でＵＳＢの論理的な接続を行い、ＵＳＢホストに電流量の増加を要求するため、十分な電力が供給されるようになると、一度停止した機能を再度駆動し、停止前の状態に復元することができる。
【００１０】
さらに、本発明を適用した記録再生装置は、記録媒体に関する仮の属性情報を不揮発性メモリに記憶しているため、読出手段を停止し記録媒体の属性情報が読み出せないときであってもＵＳＢの論理的な接続を行うことができる。
【発明を実施するための最良の形態】
【００１１】
以下、図面を参照して本発明を適用したＭＤ（ミニディスク；登録商標）プレーヤについて説明する。本発明は、ＭＤプレーヤの電源の切り替えに関する。ＭＤプレーヤの電源には、外部電源と内部電源とがある。外部電源としては、家庭用電源やＵＳＢのＶＢｕｓであり、電源ケーブルを介して接続される。一方、内部電源とは、ＭＤプレーヤに内蔵された電池であり、電源ケーブルが外されたときに使用される。
【００１２】
ＭＤプレーヤは、外部電源を優先的に使用して、内部電源の電力を節約する。ＭＤプレーヤは、内部電源の使用中に外部電源が接続されると、内部電源から外部電源への切り替え処理を行う。切り替え先の外部電源がＵＳＢのＶＢｕｓであるとき、電力不足という問題が起きる。これは、ＵＳＢの接続時におけるＶＢｕｓの電流量が１００ｍＡ、電圧が５ＶになるようＵＳＢの規格で定義されているためである。
【００１３】
ＭＤプレーヤは、ＵＳＢの接続時における、ＶＢｕｓの電力不足を回避するために、システムの一部を停止する処理と、ＶＢｕｓの電流量を増加させる処理と、システムの動作を回復させる処理とを行うことを特徴とする。
【００１４】
以下、本発明を適用したＭＤプレーヤの構成と、このＭＤプレーヤが再生することができるＭＤの仕様について説明する。ＭＤプレーヤは、ディスク状の光磁気記録媒体として、カートリッジに収納された直径約６．４センチのディスク状の光磁気記録媒体に対して、データの記録及び再生を行う装置である。さらに、本実施形態のＭＤプレーヤは、異なる３つの記録フォーマットのディスク状光磁気記録媒体の記録及び再生を行う。一つは、いわゆるＭＤ（登録商標）と呼ばれるフォーマットが適用された光磁気ディスクである。もう一つは、「次世代ＭＤ１」と呼ばれるフォーマットが適用された光磁気ディスクである。最後の一つは、「次世代ＭＤ２」と呼ばれるフォーマットが適用された光磁気ディスクである。なお、いわゆるＭＤはオーディオデータ専用のフォーマットとして用いるのが通常であるが、データ記録用（ＭＤ−ＤＡＴＡ）としても用いられる場合がある。
【００１５】
まず、従来ＭＤ、次世代ＭＤ１及び次世代ＭＤ２の仕様について説明をする。図１に、従来ＭＤ（ＭＤ−ＤＡＴＡ）、次世代ＭＤ１及び次世代ＭＤ２のディスク仕様を示す。
【００１６】
従来ＭＤの物理仕様は、トラックピッチが１．６μｍ、ピット長が０．５９μｍ／ｂｉｔ、レーザ波長λが７８０ｎｍ、対物レンズの開口数ＮＡが０．４５、ディスク記録方式がグルーブ記録、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＥＦＭ（8-14変換）、誤り訂正方式がＡＣＩＲＣ（Advanced Cross Interleave Reed-Solomon Code）、インターリーブ方式が畳み込み方式、冗長度が４６．３％、データ検出方式がビットバイビット方式、ディスク駆動方式がＣＬＶ（Constant Linear Velocity）方式、線速度が１．２ｍ／ｓ、データレートが１３３ＫＢ／ｓ、記録容量が１６４ＭＢ（ＭＤ  ＤＡＴＡとして用いた場合には１４０ＭＢ）、最小書き込み単位が３２セクタと４個のリンクセクタによる３６セクタ、となっている。この従来ＭＤは、トラックに沿って内周側から外周側に向かいデータが記録されていく。
【００１７】
次世代ＭＤ１の物理仕様は、トラックピッチが１．３μｍ、ピット長が０．４４μｍ／ｂｉｔ、レーザ波長λが７８０ｎｍ、対物レンズの開口数ＮＡが０．４５、ディスク記録方式がグルーブ記録、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＲＬＬ１−７ＰＰ（Run Length Limited 1-7 Parity Preserve /Prohibit rmtr）方式、誤り訂正方式がＢＩＳ（Burst Indicator Subcode）付きのＲＳ−ＬＤＣ（Read-Solomon Long Distance Code）、インターリーブ方式がブロック完結方式、冗長度が２０．５０％、データ検出方式がＰＲ（１，２，１）ＭＬによるビタビ復号方式、ディスク駆動方式がＣＬＶ（Constant Linear Velocity）方式、線速度が２．４ｍ／ｓ、データレートが４．４ＭＢ／ｓ、記録容量が３００ＭＢ、最小書き込み単位が１６セクタ、となっている。この次世代ＭＤ１は、トラックに沿って内周側から外周側に向かいデータが記録されていく。
【００１８】
このような次世代ＭＤ１は、ディスクの物理的な構成は従来ＭＤと同一である。すなわち、従来ＭＤを次世代ＭＤのフォーマットでフォーマットしたものが次世代ＭＤ１である。もっとも、次世代ＭＤ１では、変調方式をＥＦＭからＲＬＬ（１−７）ＰＰ変調方式とすることによってウインドウマージンが０．５から０．６６６とし、現行のＭＤと比較して１．３３倍の高密度化を実現している。また、記録変調方式をＣＩＲＣ方式からＢＩＳ付きのＲＳ−ＬＤＣ方式及びセクタ構造の差異とビタビ復号を用いる方式にすることによってデータ効率を５３．７％から７９．５％とし、現行のＭＤと比較して１．４８倍の高密度化を実現している。以上のような仕様により、ディスク自体は現行のＭＤと同一であっても、記録容量を現行のＭＤの２倍程度の３００ＭＢにすることができる。
【００１９】
次世代ＭＤ２の物理仕様は、トラックピッチが１．２５μｍ、ピット長が０．１６μｍ／ｂｉｔ、レーザ波長λが７８０ｎｍ、対物レンズの開口数ＮＡが０．４５、ディスク記録方式がグルーブ記録及び磁壁移動検出（ＤＷＤＤ）方式、アドレス方式がシングルスパイラルのグルーブに対して所定の周波数（２２．０５ｋＨｚ）で両側ウォブルを施してその周波数に絶対アドレス（ＡＤＩＰ）をＦＭ変調する方式、変調方式がＲＬＬ１−７ＰＰ（Run Length Limited 1-7 Parity Preserve /Prohibit rmtr）方式、誤り訂正方式がＢＩＳ（Burst Indicator Subcode）付きのＲＳ−ＬＤＣ（Read-Solomon Long Distance Code）、インターリーブ方式がブロック完結方式、冗長度が２０．５０％、データ検出方式がＰＲ（１，−１）ＭＬによるビタビ復号方式、ディスク駆動方式がＣＬＶ（Constant Linear Velocity）方式、線速度が２．０ｍ／ｓ、データレートが９．８ＭＢ／ｓ、記録容量が１ＧＢ、最小書き込み単位が１６セクタとなっている。この次世代ＭＤ２は、トラックに沿って内周側から外周側に向かいデータが記録されていく。
【００２０】
次世代ＭＤ２は、筐体外形が従来ＭＤ及び次世代ＭＤ１と同一である。ただし、ディスク自体の構造は異なっている。
【００２１】
次世代ＭＤ２のディスクは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
【００２２】
すなわち、次世代ＭＤ２のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２３】
また、現行のＭＤ及び次世代ＭＤ１との互換を採るため、光学系、読出方式、サーボ処理等は、同一となっている。ただし、現行のＭＤ及び次世代ＭＤ１と同等の光学系を用いて、上述のように従来より狭いトラックピッチ及び線密度（ビット長）を読み取る際には、デトラックマージン、ランド及びグルーブからのクロストーク、ウォブルのクロストーク、フォーカス漏れ、ＣＴ信号等における制約条件を解消する必要がある。そのため、次世代ＭＤ２では、グルーブの溝深さ、傾斜、幅等を変更している。具体的には、グルーブの溝深さを１６０ｎｍ〜１８０ｎｍ、傾斜を６０°〜７０°、幅を６００ｎｍ〜８００ｎｍの範囲と定めている。
【００２４】
次いで、ＭＤプレーヤの構成を説明する。ＭＤプレーヤ１０は、図２に示すように、メディアドライブ部１１と、メモリ転送コントローラ１２と、不揮発性メモリ１３と、ＲＡＭ１４と、ＵＳＢコネクタ１５、システムコントローラ１８と、オーディオ処理部１９とを備える。ＭＤプレーヤは、ＵＳＢケーブル１１１を介してＰＣ２０と接続される。
【００２５】
メディアドライブ部１１は、装填された従来ＭＤ、次世代ＭＤ等の個々のＭＤ９０に対する記録／再生を行う。従来ＭＤとは、音楽情報の記録を目的としたＭＤであり、変調方式がＥＦＭである。また、次世代ＭＤとは、音楽情報の記録領域の他にＰＣのストレージメディアとしての記録領域を備える。次世代ＭＤの変調方式は、ＲＬＬ（１−７）ＰＰであり、従来ＭＤよりも高密度になっている。
【００２６】
メモリ転送コントローラ１２は、ＵＳＢの伝送制御を行う。ＲＡＭ１４は、メディアドライブ部１１によってＭＤ９０のデータトラックから高密度データクラスタ単位で読み出されたデータをシステムコントローラ１８の制御に基づいてバッファリングする。また、ＲＡＭ１４は、メディアドライブ部１１によってＭＤ９０から読み出されたＵＴＯＣデータ、ＦＡＴデータ、ユニークＩＤ、ハッシュ値等の各種管理情報や特殊情報をシステムコントローラ１８の制御に基づいて記憶する。
【００２７】
システムコントローラ１８は、ＵＳＢを介して接続されたＰＣ２０との間で通信可能とされ、このＰＣ２０との間の通信制御を行って、書込要求、読出要求等のコマンドの受信やステイタス情報、その他の必要情報の送信等を行うとともに、ＭＤプレーヤ１０全体を統括制御している。
【００２８】
メモリ転送コントローラ１２は、例えば、ＭＤ９０がメディアドライブ部１１に挿入された際に、ＭＤ９０からの管理情報等の読出をメディアドライブ部１１に指示し、読み出したＰＴＯＣ、ＵＴＯＣ等の管理情報等をＲＡＭ１４に格納させる。
【００２９】
メモリ転送コントローラ１２は、これらの管理情報を読み込むことによって、ＭＤ９０のトラック記録状態を把握できる。また、ＦＡＴを読み込ませることにより、データトラック内のクラスタ構造を把握でき、ＰＣ２０からのデータトラックに対するアクセス要求に対応できる状態となる。
【００３０】
また、ユニークＩＤやハッシュ値により、ディスク認証処理及びその他の処理を実行したり、これらの値をＰＣ２０に送信し、ＰＣ２０上でディスク認証処理及びその他の処理を実行させる。
【００３１】
メモリ転送コントローラ１２は、ＲＡＭ１４に記憶されているデータを記録データとしてメディアドライブ部１１に転送させる。このとき、メディアドライブ部１１は、装着されている媒体が従来ＭＤであればＥＦＭ変調方式で、次世代ＭＤ１又は次世代ＭＤ２であればＲＬＬ（１−７）ＰＰ変調方式で記録データを変調して書き込む。
【００３２】
なお、本具体例として示すＭＤプレーヤ１０において、上述した記録再生制御は、データトラックを記録再生する際の制御であり、ＭＤオーディオデータ（オーディオトラック）を記録再生する際のデータ転送は、オーディオ処理部１９を介して行われる。
【００３３】
オーディオ処理部１９は、入力系として、例えば、ライン入力回路／マイクロフォン入力回路等のアナログ音声信号入力部、Ａ／Ｄ変換器、及びデジタルオーディオデータ入力部を備える。また、オーディオ処理部１９は、ＡＴＲＡＣ圧縮エンコーダ／デコーダ、圧縮データのバッファメモリを備える。さらに、オーディオ処理部１９は、出力系として、デジタルオーディオデータ出力部、Ｄ／Ａ変換器及びライン出力回路／ヘッドホン出力回路等のアナログ音声信号出力部を備えている。
【００３４】
ＭＤ９０に対してオーディオトラックが記録されるのは、オーディオ処理部１９にデジタルオーディオデータ（又は、アナログ音声信号）が入力される場合である。入力されたリニアＰＣＭデジタルオーディオデータ、或いはアナログ音声信号で入力された後、Ａ／Ｄ変換器で変換されて得られたリニアＰＣＭオーディオデータは、ＡＴＲＡＣ圧縮エンコードされ、バッファメモリに蓄積される。その後、所定タイミング（ＡＤＩＰクラスタ相当のデータ単位）でバッファメモリから読み出され、メディアドライブ部１１に転送される。
【００３５】
メディアドライブ部１１では、転送された圧縮データをＥＦＭ変調方式又はＲＬＬ（１−７）ＰＰ変調方式で変調してＭＤ９０にオーディオトラックとして書き込む。メディアドライブ部１１は、ＭＤ９０からオーディオトラックを再生する場合、再生データをＡＴＲＡＣ圧縮データ状態に復調してオーディオ処理部１９に転送する。オーディオ処理部１９は、ＡＴＲＡＣ圧縮デコードを行ってリニアＰＣＭオーディオデータとし、デジタルオーディオデータ出力部から出力する。或いは、Ｄ／Ａ変換器によりアナログ音声信号としてライン出力／ヘッドホン出力を行う。
【００３６】
電源切替部１６とシステムコントローラ１８とは、内部電源から外部電源への電源の切り替えを行う。電源切替部１６は、図３に示すように、並列に接続された３つのダイオード３１，３２，３３と、アップダウンコンバータ３４とからなる。ダイオード３１のアノードには、家庭用電源４１が接続されている。ダイオード３２のアノードには、ＶＢｕｓ３２が接続されている。ダイオード３３のアノードには、内蔵電池１７が接続されている。これら３つのダイオード３１，３２，３３のカソードは、アップダウンコンバータ３４に接続されている。
【００３７】
電源の電圧は家庭用電源４１が６Ｖであり、ＶＢｕｓ４２が５Ｖであり、内蔵電池１７が１．２Ｖ／３．７Ｖである。そのため、これらの３つの電源のなかでは、最も電圧の高い電源、すなわち、家庭用電源４１が優先的に出力される。次いで、２番目に電圧の高い電源、すなわち、ＶＢｕｓ４２が出力され、外部電源が接続されていないときに、内蔵電池１７が出力される。アップダウンコンバータ３４は、電源の電圧を常に監視して、電圧が一定になるように制御する。
【００３８】
システムコントローラ１８は、ＵＳＢジャック４３が挿入されると、ＶＢｕｓ４２への切り替え処理を開始する。切り替え処理では、まず、現在のシステムの動作状態をＲＡＭ１４若しくは不揮発性メモリ１３にバックアップする。そして、システムの一部を停止し、ＭＤプレーヤ１０の消費電力を減少させる。
【００３９】
システムコントローラ１８は、システムの一部を停止させると、ＵＳＢの論理接続を開始する。接続の手順は、ＵＳＢの規格に定められたものである。簡単に説明すると、バス速度の検出と、属性情報（ディスクリプタ）のやり取り、デバイスの論理的なアドレス（エンドポイント）の設定からなる。
【００４０】
システムコントローラ１８は、ＵＳＢの接続が完了すると、ＵＳＢホスト（ＰＣ２０）に対して、電流の増加を要求する。ここでは、電流量を５００ｍＡに増加させる。ＭＤプレーヤ１０は、電流５００ｍＡ、電圧５Ｖで問題なく動作する。なお、電流の増加量は、ＭＤプレーヤ１０とＰＣ２０との間に設けられたハブの段数に依存する。これは、一台のハブが約１００ｍＡの電流を消費するため、経由するハブの段数に応じて要求する電流量を上げる必要があるためである。
【００４１】
ＰＣ２０は、システムコントローラ１８の要求に応答して、電流量の増加を許可する信号を出力する。システムコントローラ１８は、この信号を受信すると、ＲＡＭ１４に記憶された停止前のシステムの動作状態を読み出し、この情報を基に停止していた動作を復元する。
【００４２】
次いで、図４を参照して、上述した構成のＭＤプレーヤ１０の動作について説明する。この動作の背景として、ＭＤプレーヤ１０には、外部電源が接続されておらず、内蔵電池１７を電源としている。このとき、ＭＤプレーヤ１０にＵＳＢジャック４３が挿入されると、信号線の状態が変化する。システムコントローラ１８は、これにより、ＵＳＢの物理的な接続を検出する（ステップＳ１１）。
【００４３】
ＭＤプレーヤ１０が内蔵電池１７を使用してなんらかの処理を実行している場合（ステップＳ１２；ＹＥＳ）、システムコントローラ１８は、ＭＤプレーヤ１０が実行している処理の一部を停止させる（ステップＳ１３）。一方、ＭＤプレーヤ１０がなんの処理も実行していない場合、若しくはあまり電力を消費しない処理をしている場合には（ステップＳ１２；ＮＯ）、ステップＳ１４に処理を移行する。
【００４４】
本実施例におけるＭＤプレーヤは、ステップＳ１３において、メディアドライブ部１１のモータを停止させる。このとき、システムコントローラ１８は、モータのほかにレーザパワーや光ヘッドの位置決めアームなど、モータに付随した動作も停止させる。また、音楽を再生しているときには、オーディオ処理部１９の動作も停止する。このように、消費電力を低下させ、少ないＶＢｕｓの電力でもＭＤプレーヤを動作することができるようにする。
【００４５】
次いで、システムコントローラ１８は、ＵＳＢの論理的な接続を開始する。ＵＳＢの論理的な接続は、信号線Ｄ＋のプルアップに始まり、バス速度の検出、ディスクリプタのやり取り、デバイスの論理的なアドレスの設定で終了する（ステップＳ１４）。論理的な接続が完了すると、システムコントローラ１８は、ＵＳＢの設定を変更できるようになる。システムコントローラ１８は、ＰＣ２０に対して、ＶＢｕｓの電流量の増加を要求する（ステップＳ１５）。
【００４６】
ＰＣ２０は、システムコントローラ１８の要求に対して電流量を増加させることができるか否かを示す信号を応答する。ＰＣ２０が電流量の増加を許可したとき（ステップＳ１６；ＹＥＳ）、システムコントローラ１８は、停止していたモータやレーザパワーなどを復元し、停止前の動作を再開する（ステップＳ１７）。一方、ＰＣ２０が電流量の増加を拒否した場合には（ステップＳ１５；ＮＯ）、システムの一部を停止した状態を継続する。
【００４７】
以上説明したように、本発明を適用したＭＤプレーヤ１０は、内部電池１７からＵＳＢのＶＢｕｓ４２に電源を切り替える際、ＶＢｕｓ４２の少ない電流量でも駆動できるように消費電力を減少し、その上で、ＵＳＢの論理的な接続し、十分な電力の供給をＰＣ２０に要求する。
【００４８】
これにより、内蔵電池１７からＶＢｕｓ４２への電源を切り替えるときの電力不足を回避し、ＭＤプレーヤ１０を安定して駆動させることができる。
【００４９】
次いで、本発明を適用したＭＤプレーヤ１０の変形例について説明する。このＭＤプレーヤ１０は、ディスクリプタを生成するために必要となる情報を不揮発性メモリ１３に記録している。ディスクリプタは、ＭＤプレーヤ１０の属性をＰＣに通知するためのものである。ディスクリプタには、ＵＳＢ仕様のリリース番号、クラスコード、サブクラスコード、プロトコルコード、ベンダＩＤ、プロダクトＩＤなどを記述しなくてはならない。ＰＣ２０は、ディスクリプタに記述された情報を基に、デバイスドライバやプロトコルを読み出す。
【００５０】
次世代ＭＤと従来ＭＤとの２種類のＭＤは、それぞれ異なるデバイスドライバやプロトコルによって制御される。ＭＤプレーヤ１０に挿入されているフォーマットの種類は、システムリードが完了したときに判別できるが、ＵＳＢの接続時には、ＶＢｕｓ４２の供給電力が少なく、システムリードをすることができない。
【００５１】
変形例におけるＭＤプレーヤ１０は、ＶＢｕｓの電力不足により、システムリードが不可能なとき、不揮発性メモリ１３に記録された仮の属性情報を用いて、仮のディスクリプタを生成し、仮のＵＳＢ接続を行う。そして、仮の接続状態でＰＣ２０に電流量の増加を要求することを特徴とする。
【００５２】
ＰＣ２０から供給される電流量が増加すると、システムリードが可能になる。ＭＤプレーヤ１０は、システムリードにより、現在挿入されているＭＤの種別を識別する。現在挿入されているＭＤの種別と、不揮発性メモリ１３に記録された仮の属性情報とが異なるときには、真のディスクリプタを生成して、再接続を行う。
【００５３】
以上説明したように、変形例におけるＭＤプレーヤ１０は、ディスクリプタを生成するために必要な情報を不揮発性メモリ１３に記録しておき、システムリードが完了しておらず、真のディスクリプタが生成できない場合には、不揮発性メモリ１３に格納された情報を用いて仮のＵＳＢ接続を行う。
【図面の簡単な説明】
【００５４】
【図１】従来ＭＤ及び次世代ＭＤの属性を記載した図である。
【図２】ＭＤプレーヤの内部構造を示すブロック図である。
【図３】電源切替部の内部構造を示す図である。
【図４】ＭＤプレーヤの動作を示すフローチャートである。
【符号の説明】
【００５５】
１０  ＭＤプレーヤ、１１  メディアドライブ部、１２  メモリ転送コントローラ、１３  不揮発性メモリ、１４  ＲＡＭ、１５  ＵＳＢコネクタ、１６  電源切替部、１７  内蔵電池、１８  システムコントローラ、１９  オーディオ処理部、２０  パーソナルコンピュータ、３１，３２，３３  ダイオード、３４  アップダウンコンバータ、４１  家庭用電源、４２  ＶＢｕｓ、４３  ＵＳＢジャック
【図１】
2005251339.tif 000003
【図２】
2005251339.tif 000004
【図３】
2005251339.tif 000005
【図４】
2005251339.tif 000006